(57)【要約】【課題】軟便の漏れを適切に防止することができる低コストの吸収性補助パッドを提供する。【解決手段】長手形状の吸収性本体１１と吸収性本体１１の短手方向Ｘの一方の側縁１１ａに設けられたフラップ部１５とを備えてなり、吸収性本体１１が、吸収体１２と吸収体１２を覆う第一の液透過性表面材１３とからなり、吸収性本体１１の長手方向Ｙの両端は閉塞しており、吸収性本体１１の断面の形状が円形であり、かつ吸収性本体１１の断面の周長が６０ｍｍ以上１４０ｍｍ以下であり、吸収体１２の長手方向の長さが８００ｍｍ以上１５００ｍｍ以下であり、フラップ部１５の吸収性物品２０と接する面に、吸収性物品２０とフラップ部１５とを固定する固定手段１６が設けられている吸収性補助パッドである。【選択図】図１
2020065720.tif 000002
【特許請求の範囲】
【請求項１】
吸収性物品に配置する吸収性補助パッドであって、
長手形状の吸収性本体と該吸収性本体の短手方向の一方の側縁に設けられたフラップ部とを備えてなり、
前記吸収性本体が、吸収体と該吸収体を覆う第一の液透過性表面材とからなり、前記吸収性本体の長手方向の両端は閉塞しており、
前記吸収性本体の断面の形状が矩形状又は円形状であり、かつ前記吸収性本体の断面の周長が６０ｍｍ以上１４０ｍｍ以下であり、
前記吸収体の長手方向の長さが８００ｍｍ以上１５００ｍｍ以下であり、
前記フラップ部の前記吸収性物品と接する面に、前記吸収性物品と前記フラップ部とを固定する固定手段が設けられている吸収性補助パッド。
【請求項２】
前記フラップ部が、第二の液透過性表面材からなる請求項１記載の吸収性補助パッド。
【請求項３】
前記第二の液透過性表面材が、親水性サーマルボンド不織布又は親水性スパンボンド不織布である請求項２記載の吸収性補助パッド。
【請求項４】
前記フラップ部が、前記吸収体を覆う前記第一の液透過性表面材を延在してなる請求項１記載の吸収性補助パッド。
【請求項５】
前記フラップ部が、少なくとも前記吸収性本体の長手方向の両端部に設けられている請求項１から４いずれか１項記載の吸収性補助パッド。
【請求項６】
前記フラップ部が、さらに、前記吸収性本体の長手方向の中心部に設けられている請求項５記載の吸収性補助パッド。
【請求項７】
前記フラップ部が、前記一方の側縁全体に亘って形成されている請求項１から４いずれか１項記載の吸収性補助パッド。
【請求項８】
前記第一の液透過性表面材が、親水性サーマルボンド不織布又は親水性スパンボンド不織布である請求項１から７いずれか１項記載の吸収性補助パッド。
【請求項９】
前記吸収体が、吸収性繊維のみ、吸収性繊維と高吸収性ポリマーとの混合物、又は親水性不織布の積層体で構成される請求項１から８いずれか１項記載の吸収性補助パッド。
【請求項１０】
前記固定手段が、フック部材又は粘着剤である請求項１から９いずれか１項記載の吸収性補助パッド。
【発明の詳細な説明】
【技術分野】
【０００１】
本発明は、吸収性補助パッドに関する。
【背景技術】
【０００２】
一般的に大人用紙おむつには、テープ止めタイプ、パンツタイプ等があり、これらの吸収性物品は使用者の排泄における介護の必要度に応じて適宜選択されて使用される。これらの吸収性物品は、液透過性のトップシートと、液不透過性のバックシートと、両シートの間に配置された吸収体と、で構成されている。このような構成を採用することにより、尿等の体液は、吸収性物品のトップシートを透過して吸収体に吸収され、バックシートにより外部へ漏れないようになっている。
【０００３】
ところで、テープ止めタイプやパンツタイプの紙おむつ（以下、テープ止めタイプ等の紙おむつと称する）は、それ自体を単独で使用する場合と、その内側に尿取りパッドを併用する場合があるが、現在は、尿取りパッドと併用し、尿取りパッドを、トップシート上に重ねて使用する場合がほとんどである。これは、テープ止めタイプ等の紙おむつ１枚当たりのコストが高いためで、テープ止めタイプ等の紙おむつに比して安価な尿取りパッドで排泄物を吸収して保持した後、尿取りパッドのみを交換することで、排泄後においても、よりコストの高いテープ止めタイプ等の紙おむつを交換せずに済み、経済的に低いコストで吸収性物品を使用できるためである。
【０００４】
ここで、尿取りパッドは、尿量に応じて様々なサイズや形状があり、排泄された尿を確実に吸収して漏れを防止することができる。しかしながら、軟便、水様便、下痢便（以下、軟便と称する）に対しては、吸収性が不十分であり、軟便が尿取りパッド及びテープ止めタイプ等の紙おむつの外部に漏れることがあったため、軟便の漏れを防止することを目的とした尿取りパッドについても検討がなされている。
【０００５】
軟便の漏れを防止することを目的とした尿取りパッドとしては、例えば、特許文献１には、表面シートから吸収体までを厚み方向に貫通する貫通孔が形成され、吸収体と裏面シートとの間に、不織布又は発泡体からなり、かつ肌当接面に凹凸構造が形成されている拡散層を有する吸収性物品が開示されている。
また、特許文献２には、表面を形成する透液性トップシートと、裏面側に位置する液不透過性シートと、これらの間に介在された吸収体と、表面の両側部を付け根部分として表側に突出する立体ギャザーとを備えた、パッドタイプ使い捨ておむつであって、少なくとも股間部の前端よりも後側の範囲内における、立体ギャザーの突出部位より側方に延在する部分に、表面側から見てカップ状に窪んだカップ部が設けられているパッドタイプ使い捨ておむつが開示されている。
さらに、特許文献３には、トップシートの上面に、トップシート側から順に便受け下シート及び便受けシートをさらに備え、便受け下シートの軟便透過速度Ｖ２が便受けシートの軟便透過速度Ｖ１よりも大きい吸収性物品が開示されている。
またさらに、特許文献４には、臀部当接部に排泄物を収納保持する便ポケットが設けられ、便ポケットの開口部をメッシュシートにより被覆するとともに、メッシュシートの少なくとも排尿部を含む中間領域に親水剤塗布による表面処理が施された吸収性物品が開示されている。
【先行技術文献】
【特許文献】
【０００６】
【特許文献１】特開２０１６−１１２２３２号公報
【特許文献２】特開２０１４−４５９８０号公報
【特許文献３】特開２００９−２２４６０号公報
【特許文献４】特開２００７−９００５６号公報
【発明の概要】
【発明が解決しようとする課題】
【０００７】
しかしながら、上記特許文献に記載の吸収性物品等においても、大量の軟便が排泄された場合には、尿取りパッドの漏れやすい箇所からテープ止めタイプ等の紙おむつにまで軟便が漏れ、更に、テープ止めタイプ等の紙おむつから軟便が衣服や寝具に漏れてしまう可能性があった。また、尿取りパッドは、テープ止めタイプ等の紙おむつに補助的に用いられるものであるが、広範囲で軟便の漏れを防止しようとするが故に、必然的にサイズが大きくなることから、原材料コストが高くなり、使用者としては、コスト的に十分に満足できないという問題もあった。
本発明は、上記事情に鑑みてなされたものであり、軟便の漏れを適切に防止することができる低コストの吸収性補助パッドを提供することを目的とする。
【課題を解決するための手段】
【０００８】
本発明は、本発明者が、鋭意検討した結果、吸収性補助パッドとして、長手形状の吸収性本体と吸収性本体を吸収性物品に固定するフラップ部とを有する構造を採用し、吸収性物品に配置することによって、軟便の漏れを適切に防止することができ、かつ低コストの吸収性補助パッドを提供できることを見出し、本発明に至った。
すなわち、本発明は、吸収性物品に配置する吸収性補助パッドであって、長手形状の吸収性本体と該吸収性本体の短手方向の一方の側縁に設けられたフラップ部とを備えてなり、前記吸収性本体が、吸収体と該吸収体を覆う第一の液透過性表面材とからなり、前記吸収性本体の長手方向の両端は閉塞しており、前記吸収性本体の断面の形状が矩形状又は円形状であり、かつ前記吸収性本体の断面の周長が６０ｍｍ以上１４０ｍｍ以下であり、前記吸収体の長手方向の長さが８００ｍｍ以上１５００ｍｍ以下であり、前記フラップ部の前記吸収性物品と接する面に、前記吸収性物品と前記フラップ部とを固定する固定手段が設けられている吸収性補助パッドである。
【０００９】
前記フラップ部は、第二の液透過性表面材からなるものであってもよい。
【００１０】
前記第二の液透過性表面材は、親水性サーマルボンド不織布又は親水性スパンボンド不織布であることが好ましい。
【００１１】
一方、前記フラップ部は、前記吸収体を覆う前記第一の液透過性表面材を延在してなるものであってもよい。
【００１２】
前記フラップ部は、少なくとも前記吸収性本体の長手方向の両端部に設けられていることが好ましい。
【００１３】
前記フラップ部は、さらに、前記吸収性本体の長手方向の中心部に設けられていてもよい。
【００１４】
前記フラップ部は、前記一方の側縁全体に亘って形成されていてもよい。
【００１５】
前記第一の液透過性表面材は、親水性サーマルボンド不織布又は親水性スパンボンド不織布であることが好ましい。
【００１６】
前記吸収体は、吸収性繊維のみ、吸収性繊維と高吸収性ポリマーとの混合物、又は親水性不織布の積層体で構成されることが好ましい。
【００１７】
前記固定手段は、フック部材又は粘着剤であることが好ましい。
【発明の効果】
【００１８】
本発明の吸収性補助パッドによれば、軟便の漏れを適切に防止することができ、かつ、低コスト化を実現できる。
【図面の簡単な説明】
【００１９】
【図１】本発明の吸収性補助パッドの一実施形態を示す平面図である。
【図２】本発明の吸収性補助パッドの一実施形態の使用例を示す平面図である。
【図３】図１におけるＸ１−Ｘ１断面図である。
【図４】図１におけるＡ１方向からの投影図である。
【図５】本発明の吸収性補助パッドの他の実施形態を示す平面図である。
【図６】図５におけるＸ２−Ｘ２断面図である。
【図７】図５におけるＡ２方向からの投影図である。
【図８】本発明の吸収性補助パッドの他の実施形態の使用例を示す平面図である。
【発明を実施するための形態】
【００２０】
以下、本発明の実施形態について説明する。なお、本発明の実施形態の説明の全体を通して、同じ要素には同じ符号を付している。
本明細書において、吸収性補助パッドの着用時とは、吸収性補助パッドの装着時及び装着後の少なくとも一方をいう。身体側表面とは、吸収性補助パッド及び吸収性補助パッドに用いる各部材、テープ止めタイプ等の紙おむつに例示される吸収性物品及び吸収性物品に用いる各部材の表裏両面のうち、着用時に着用者の肌側に配される面であり、衣類側表面とは、表裏両面のうち、着用時に着用者の肌側とは反対側に向けられる面である。
【００２１】
＜吸収性補助パッド＞
図１は、本発明の吸収性補助パッドの一実施形態を示す平面図である。図２は、本実施形態の吸収性補助パッドの使用例を示す平面図である。図３は、図１におけるＸ１−Ｘ１断面図である。図４は図１におけるＡ１方向からの投影図である。
なお、本明細書において、吸収性物品とは、特に限定されず、テープ止めタイプ等の紙おむつ、尿取りパッド、軽失禁パッド等を指す。
【００２２】
図１に示すように、本実施形態の吸収性補助パッド１０は、可撓性を有する長手形状の吸収性本体１１と、吸収性本体１１の短手方向Ｘの一方の側縁１１ａであって、長手方向Ｙの両端及び中央部の３か所に設けられたフラップ部１５ａ、１５ｂ、１５ｃとを備える。
吸収性補助パッド１０は、例えば、図２に示すように、テープ止めタイプ等の紙おむつ等の吸収性物品２０の股部ｂに位置する排尿領域及び排便領域を、股部ｂから、股部ｂの立体ギャザー２１の外側（吸収性物品２０の側部）に沿うように、後部ｃにかけて囲い、Ｕ字状に配置することができる。Ｕ字状に配置することにより、吸収性補助パッド１０が側部及び後部ｃで軟便を堰き止めるため、吸収性物品２０から軟便が漏れることを防止することができる。
【００２３】
吸収性補助パッド１０は、吸収性物品２０の前部ａ、後部ｃ及び側部のうち少なくとも後部ｃ及び側部に配置される形態、すなわち、上記Ｕ字状に配置する形態であれば、本発明の効果を良好に発揮するが、本実施形態に限られず、本発明の吸収性補助パッド１０を、吸収性物品２０の股部ｂを全て囲うようにＯ字状に配置することもできる。Ｏ字状に配置することによって、後部ｃ及び側部へ流れた軟便に加え、さらに予期せず前部ａへ流れた軟便が吸収性物品２０から漏れることを防止することができる。
なお、本発明の吸収性補助パッド１０は、上記のように、吸収性物品２０の身体側表面に、直接配置させることもできる他、吸収性物品２０の身体側表面に、別途尿取りパッドを装着させ、当該尿取りパッドのトップシートの身体側表面に配置させることもできる。
【００２４】
また、本発明の吸収性補助パッド１０は、吸収性本体１１を構成する吸収体１２及び第一の液透過性表面材１３、並びに第二の液透過性表面材１７からなるフラップ部１５（１５ａ、１５ｂ、１５ｃ）からなる簡易な構成であるため、原材料コスト及び加工コストを抑えることができるという効果を有する。
【００２５】
［吸収性本体］
本実施形態における吸収性補助パッド１０における吸収性本体１１は、図１に示すように、可撓性を有する長手形状の吸収体１２と吸収体１２を覆う第一の液透過性表面材１３とからなる。第一の液透過性表面材１３は、吸収体１２の長手方向Ｙの両端において、及び長手方向Ｙに沿って接合されている。以下、長手方向Ｙの両端の接合された部分を接合部分１４と記載する。接合部分１４は、例えば、図４に示すように、吸収体１２を含まず、第一の液透過性表面材１３が延在した部分を互いに接合することにより設けることができる。また、長手方向Ｙにおいては、第一の液透過性表面材１３を吸収体１２の底部付近で接合することによって閉塞させることができる。接合は、接着剤、熱シート、又は超音波シールによって行うことができる。
本実施形態では、図１に示すように、フラップ部１５は、第一の液透過性表面材１３とは別の第二の液透過性表面材１７からなるものであり、フラップ部１５は、熱、超音波、又はホットメルト接着剤によって２枚を接合して、吸収性本体１１の裏面側に接着して形成することができる。
【００２６】
本実施形態における吸収性補助パッド１０における吸収性本体１１の短手方向Ｘの断面の形状は、図３に示すように円形であり、かつ、吸収性本体１１断面の周長が６０ｍｍ以上１４０ｍｍ以下である。これにより、吸収性補助パッド１０の吸収性物品２０への密着性が確保でき、軟便を堰き止めつつ、軟便に含まれる水分を吸収することができるため、軟便の漏れを適切に防止することができる。なお、断面形状は、円形に限らず、楕円形又は矩形状であってもよい。
【００２７】
（圧縮率）
吸収性本体１１の無荷重の厚さ（以下、「圧縮前の厚さ」とする）は、１５ｍｍ以上３５ｍｍ以下であることが好ましく、２０ｍｍ以上３０ｍｍ以下であることがより好ましい。また、吸収性本体１１に、縦及び横の寸法が５０ｍｍであるアクリルプレートを乗せ、更に、アクリルプレートの上に６８８ｇの重りを乗せた状態での吸収性本体１１の厚さ（以下、「圧縮後の厚さ」とする）は、５ｍｍ以上１５ｍｍ以下であることが好ましく、８ｍｍ以上１０ｍｍ以下であることがより好ましい。更に、｛圧縮前の厚さ（ｍｍ）−圧縮後の厚さ（ｍｍ）｝／圧縮前の厚さ（ｍｍ）×１００の式で算出される数値を、吸収性本体１１の圧縮率（％）とし、圧縮率（％）は、フィット性の観点から、３０％以上６０％以下であることが好ましく、４５％以上５５％以下であることがより好ましい。圧縮前後の厚さ及び圧縮率を上記の範囲とすることで、体圧がかかった吸収性本体１１が、身体に隙間なくフィットし、軟便の漏れを効果的に防止することができ、かつ、着用時の痛みや褥瘡を防止することができる。
【００２８】
（吸収体）
吸収体１２は、軟便を堰き止めつつ、軟便に含まれる水分を吸収する重要な役割を担う。吸収体１２の長手方向Ｙの長さＬ２（図１参照）は、８００ｍｍ以上１５００ｍｍ以下であり、１０００ｍｍ以上１２００ｍｍ以下であることが好ましい。吸収体１２の長手方向Ｙの長さＬ２を上記の範囲に調整することにより、着用する吸収性物品の態様、大きさ、形状に合わせて、軟便の漏れを適切に防止可能な吸収性補助パッド１０を提供することができる。
吸収体１２は、軟便を堰き止めつつ、軟便に含まれる水分を吸収する重要な役割を担う観点から、吸収体１２の長手方向Ｙの長さＬ２は、吸収性補助パッド１０の長手方向Ｙの長さＬ１（図１参照）に対して、７５％以上９５％以下であることが好ましい。
【００２９】
吸収性本体１１に用いる吸収体１２は、軟便を吸収できるものであればよく、例えば、吸収性繊維のみ、吸収性繊維と高吸収性ポリマーとの混合物、又は親水性不織布の積層体で構成されることが好ましい。
吸収性繊維は、一般に生理用ナプキンや紙おむつ、尿取りパッド等の吸収性物品に使用されるものであればよく、例えば、フラッフパルプ、コットン、レーヨン、アセテート、ティッシュ、吸収紙等が挙げられる。これらの中でも、適度な通液性及び吸収性の観点から、フラッフパルプを使用することが好ましい。フラッフパルプとしては、木材パルプ、合成繊維、ポリマー繊維、非木材パルプ等を綿状に解繊したものを挙げることができる。吸収体１２が吸収性繊維のみで構成される場合には、吸収性能及び肌触りを損なわないよう、１００ｇ／ｍ２以上８００ｇ／ｍ２以下の坪量とすることが好ましい。
【００３０】
吸収体１２が、吸収性繊維に加えて、高吸収性ポリマー（ＳＡＰ）を含有する場合において、ＳＡＰとしては、体液を吸収し、かつ、逆流を防止できるものであれば特に制限はなく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系共重合体が好ましい。この場合において、吸収性能及び肌触りを損なわないよう、ＳＡＰの坪量は、５０ｇ／ｍ２以上５００ｇ／ｍ２以下とすることが好ましく、吸収性繊維の坪量は、１００ｇ／ｍ２以上８００ｇ／ｍ２以下とすることが好ましい。また、肌触り、吸収速度及び吸収量の観点から、吸収体１２の重量に対するＳＡＰの重量は、５０質量％以下であることが好ましい。吸収性繊維にＳＡＰを混合する場合には、吸収性繊維及びＳＡＰの形態は、吸収性繊維中にＳＡＰ粒子を混合して形成すればよい。
【００３１】
吸収体１２が親水性不織布の積層体である場合には、親水性不織布は１種に限定されず、複数を用いてもよい。この場合において、複数枚の親水性不織布が積層されていてもよいし、親水性不織布を蛇腹状に折り畳んで積層体を構成してもよい。
親水性不織布の素材としては、親水化処理したポリプロピレンやポリエチレン等の合成繊維やレーヨン等の再生繊維を用いることができ、親水性不織布の加工法としては、スパンボンド法、スパンレース法、エアレイド法、メルトブロー法等の公知の加工法を用いることができる。これらの素材及び加工法で作られる親水性不織布のうち、本発明の吸収性補助パッド１０に用いる親水性嵩高不織布としては、適度な通液性及び吸収性の観点から、パルプ含有エアレイド不織布、バインダーを使用せずに木材パルプを交絡させたポリプロピレンメルトブローン不織布、又は、レーヨンスパンレース不織布を用いることが好ましい。親水性不織布の坪量は、１５ｇ／ｍ２以上２００ｇ／ｍ２以下とすることが好ましい。
【００３２】
なお、吸収体１２の吸収性の観点から、上記のパルプ含有エアレイド不織布に含まれるパルプの重量は、吸収体１２の重量に対して、８０％以上であることが好ましく、上記のバインダーを使用せずに木材パルプを交絡させたポリプロピレンメルトブローン不織布に含まれる木材パルプの重量は、吸収体１２の重量に対して、６０％以上８０％以下であることが好ましい。
【００３３】
（第一の液透過性表面材）
第一の液透過性表面材１３は、吸収体１２に向けて体液を速やかに通過させるものであり、吸収体１２を覆っている。第一の液透過性表面材１３は、肌と当接するシートとなることから、柔らかな感触で、肌に刺激を与えないような基材、例えば、サーマルボンド不織布、スパンボンド不織布、サーマルボンド／スパンボンドを積層した複合不織布、開口ポリエチレンフィルム等の開口性フィルム、ポリエチレンフォーム、ウレタンフォーム等の発泡フィルム、又はこれらを積層した複合シートといった材料から形成される。第一の液透過性表面材１３は、単層であっても、複数層積層していてもよく、ドライタッチ性を付与するために多数の透孔が形成されていてもよい。なお、本発明に用いる第一の液透過性表面材１３としては、親水性サーマルボンド不織布、又は、親水性スパンボンド不織布であることが好ましい。不織布の素材としては、ポリプロピレンやポリエチレン等の合成繊維やレーヨン等の再生繊維、綿等の天然繊維を用いることができる。
【００３４】
第一の液透過性表面材１３の坪量は、加工性及び強度の点から、１５ｇ／ｍ２以上２００ｇ／ｍ２以下であることが好ましい。第一の液透過性表面材１３には、肌への刺激を低減させるために、ローション、酸化防止剤、抗炎症成分、ｐＨ調整剤、抗菌剤、保湿剤等を適用してもよい。
【００３５】
（第二の液透過性表面材）
第二の液透過性表面材１７は、上記第一の液透過性表面材１３と同様の基材を用いることができる。そのような基材を用いることによって、吸収性物品２０に向けて体液を速やかに通過させることができる。
【００３６】
［フラップ部］
本発明の吸収性補助パッド１０は、長手形状の吸収性本体１１と吸収性本体１１の短手方向Ｘの一方の側縁１１ａに設けられたフラップ部１５を有する。本実施形態では、フラップ部１５は、図１に示すように、吸収性本体１１の長手方向Ｙの両端部及び中央部の３箇所（１５ａ、１５ｂ、１５ｃ）に設けられていてもよい。本実施形態では、フラップ部１５は、第二の液透過性表面材１７を吸収性本体１１の底部に接着して形成することができる。
なお、図１に示す実施形態では、フラップ部１５が３か所（１５ａ、１５ｂ、１５ｃ）である場合について説明したが、少なくとも吸収性本体１１の長手方向Ｙの両端部に設けられていればよく、４か所以上であってもよい。また、複数のフラップ部１５の大きさは、同じであることが好ましいが、異なっていてもよい。
【００３７】
（固定手段）
フラップ部１５には、図３に示すように、例えばフラップ部１５ａの吸収性物品２０と接する面１５ｄに、吸収性物品２０とフラップ部１５ａとを固定する固定手段１６ａが設けられている。図１に示すように、フラップ部１５ａに設けられる固定手段１６ａと、フラップ部１５ｂ又は１５ｃに設けられる固定手段１６ｂ及び１６ｃとは、吸収性補助パッド１０の長手方向Ｙに平行な直線上に設けられることが好ましい。これにより、吸収性補助パッド１０をＵ字状やＯ字状に吸収性物品２０に配置させる際に、ねじれることなく、吸収性物品２０に固定させることができる。
固定手段１６としては、フック部材又は粘着剤等を用いることができる。また、固定手段を保護するための剥離シートを有していてもよく、この剥離シートは、吸収性補助パッド１０の包装シートと一体となっていてもよい。
【００３８】
また、図１に示すように、固定手段１６の長手方向Ｙの長さＬ４は、フラップ部１５の長手方向Ｙの長さＬ３に対して３０％以上９０％以下であることが好ましい。また、固定手段１６の短手方向Ｘの長さＬ６は、フラップ部１５の短手方向Ｘの長さＬ５に対して３０％以上９０％以下であることが好ましい。
【００３９】
本発明の吸収性補助パッドは、固定手段を有することによって、吸収性補助パッドの装着時及び吸収性物品の着用中に吸収性補助パッドが所定の位置からずれることがなく、効果的に漏れを防ぐことができる。
【００４０】
また、本発明の吸収性補助パッドは、適度な通液性及び吸収性を有するため、軟便を適度に吸収しながら堰き止めることができるとともに、可撓性を有する柱形状の吸収体を含むため、適度な復元弾性を持つので、着用者の体に密着し、軟便が漏れるのを良好に防ぐことができる。
【００４１】
次に、本発明の吸収性補助パッドの他の実施形態について図を参照しながら説明する。図５は、本発明の吸収性補助パッドの他の実施形態を示す平面図である。図６は、図５におけるＸ２−Ｘ２断面図である。図７は、図５におけるＡ２方向からの投影図である。図８は、本発明の吸収性補助パッドの他の実施形態の使用例を示す平面図である。
【００４２】
図５に示すように、本実施形態の吸収性補助パッド３０は、可撓性を有する長手形状の吸収性本体１１と、吸収性本体１１の短手方向Ｘの一方の側縁１１ａ全体に亘って形成されたフラップ部３５とを備える。フラップ部３５は、吸収性本体１１を構成する第一の液透過性表面材１３が延在してなるものである。
そして、図５及び図６に示すように、フラップ部３５の吸収性物品４０と接する面３５ｄに、吸収性物品２０とフラップ部３５とを固定する固定手段３６ａ、３６ｂ、及び３６ｃが設けられている。
本実施形態のフラップ部３５は、吸収体１２を第一の液透過性表面材１３で巻いた後、巻き終わりを熱融着、超音波又はホットメルト接着剤によって閉じ、フラップ部３５の第一の液透過性表面材１３を残して切り取ることにより形成することができる。
【００４３】
また、図７に示すように、吸収性本体１１の長手方向Ｙの両端部の接合部分１４は、第一の液透過性表面材１３を、熱融着、超音波又はホットメルト接着剤によって閉じることによって形成することができる。
なお、本実施形態においても、上記一実施形態のように、フラップ部３５には第二の液透過性表面材１７を用いてもよい。
また、本実施形態では、固定手段を３か所設けているが、フラップ部３５の吸収性物品４０と接する面３５ｄ全体に、細長く設けられていてもよい。すなわち、固定手段は少なくとも１か所設けられていればよく、２か所以上であってもよい。
【００４４】
本実施形態の吸収性補助パッド３０は、フラップ部３５が、吸収性本体１１の短手方向Ｘの一方の側縁１１ａ全体に亘って形成されているため、図８に示すように、吸収性物品４０に本実施形態の吸収性補助パッド３０を配置した場合、位置ずれ及びねじれが発生しにくく、良好に軟便等を堰き止めることが可能である。
【符号の説明】
【００４５】
１０、３０    吸収性補助パッド
１１    吸収性本体
１２    吸収体
１３    第一の液透過性表面材
１４    接合部分
１５（１５ａ、１５ｂ、１５ｃ）、３５    フラップ部
１５ｄ、３５ｄ    フラップ部の吸収性物品と接する面
１６（１６ａ、１６ｂ、１６ｃ）、３６ａ、３６ｂ、３６ｃ    固定手段
２０、４０    吸収性物品
２１    立体ギャザー
２２    トップシート
Ｌ１    吸収性補助パッドの長手方向の長さ
Ｌ２    吸収体の長手方向の長さ
Ｌ３    フラップ部の長手方向の長さ
Ｌ４    固定手段の長手方向の長さ
Ｌ５    フラップ部の短手方向の長さ
Ｌ６    固定手段の短手方向の長さ
ａ    前部
ｂ    股部
ｃ    後部
【図１】
2020065720.tif 000003
【図２】
2020065720.tif 000004
【図３】
2020065720.tif 000005
【図４】
2020065720.tif 000006
【図５】
2020065720.tif 000007
【図６】
2020065720.tif 000008
【図７】
2020065720.tif 000009
【図８】
2020065720.tif 000010